(57)【要約】      （修正有）【課題】長時間に亘って、置かれた位置から動かず、且つ、どの方向から見ても視認性の良く、さらに繰り返しての使用が可能な載置型発光灯を提供する。【解決手段】透明な円筒形の収納容器２内に、複数個のＬＥＤ３が密閉状態で収納されている。収納容器２の両底面部にはそれぞれ四角柱形状の載置用部材１０，１１が配設されている。１０ａ，１１ａは接地面となる載置用部材１０，１１の側面である。複数個のＬＥＤ３は４枚の板状のＬＥＤ固定板５のそれぞれの中心線上に並んで配設されている。４枚のＬＥＤ固定板５は、四角柱形状に組み合わされており、その各ＬＥＤ固定板５の中心線（ＬＥＤ３の配置位置）が、載置用部材１０，１１の側辺を臨むような位置となるように収納容器２内に配設されている。【選択図】図５
0003183267.tif 000002
【実用新案登録請求の範囲】
【請求項１】
透明ないし半透明な材料によって構成された円筒形の収納容器の両底面部にそれぞれ載置用部材が配設され、前記収納容器内にＬＥＤ（発光ダイオード）、電源用電池および発光制御装置が密閉状態で収納されている載置型発光灯であって、
前記ＬＥＤは、長方形の板状のＬＥＤ固定板の長手方向の中心線に沿って複数個配設され、当該ＬＥＤ固定板を複数枚その長辺同士が連設されるように組み合わされて形成された底面が正多角形となる多角柱形状のＬＥＤ固定部材が、その両底面部の重心を通る直線が前記円筒形の収納容器の中心軸と一致するように当該収納容器の内部に固定され、
前記載置用部材は、その底面の形状が前記ＬＥＤ固定部材の底面の正多角形と相似形の正多角形であって且つ前記円筒状の収納容器の外径に外接する正多角形よりも大きな正多角形となる多角柱形状に形成され、当該多角柱形状の両底面部の重心を通る直線が前記円筒形の収納容器の中心軸と一致し且つ当該多角柱形状の各頂点と前記円筒形の収納容器の中心軸とを通る複数本の直線の各々が前記ＬＥＤ固定板の長手方向の中心線と交わるような位置となるように前記円筒形の収納容器の両底面部のそれぞれに配設されていることを特徴とする載置型発光灯。
【請求項２】
透明ないし半透明な材料によって構成された円筒形の収納容器の両底面部にそれぞれ載置用部材が配設され、前記収納容器内にＬＥＤ（発光ダイオード）、電源用電池および発光制御装置が密閉状態で収納されている載置型発光灯であって、
前記ＬＥＤは、長方形の板状のＬＥＤ固定板の長手方向の中心線に沿って複数個配設され、当該ＬＥＤ固定板を複数枚その長辺同士が連設されるように組み合わされて形成された底面が正多角形となる多角柱形状のＬＥＤ固定部材が、その両底面部の重心を通る直線が前記円筒形の収納容器の中心軸と一致するように当該収納容器の内部に固定され、
前記載置用部材は、その底面の形状が前記ＬＥＤ固定部材の底面の正多角形と相似形の正多角形の２倍の角を有する正多角形であって且つ前記円筒状の収納容器の外径に外接する正多角形よりも大きな正多角形となる多角柱形状に形成され、当該多角柱形状の両底面部の重心を通る直線が前記円筒形の収納容器の中心軸と一致し且つ当該多角柱形状の各頂点と前記円筒形の収納容器の中心軸とを通る複数本の直線が１本おきに前記ＬＥＤ固定板の長手方向の中心線と交わるような位置となるように前記円筒形の収納容器の両底面部のそれぞれに配設されていることを特徴とする載置型発光灯。
【請求項３】
前記ＬＥＤ固定板の表面側には、前記ＬＥＤの光を反射する反射板が配設されていることを特徴とする請求項１または請求項２に記載の載置型発光灯。
【請求項４】
前記収納容器の両底面部に配設されている２つの前記載置用部材は、一方は前記収納容器に固定され他方は前記収納容器に着脱自在に装着されていることを特徴とする請求項１または請求項２に記載の載置型発光灯。
【請求項５】
前記載置用部材には、前記ＬＥＤの点灯を制御する外部から操作可能なスイッチが配設されていることを特徴とする請求項１または請求項２に記載の載置型発光灯。
【請求項６】
前記載置用部材には、マグネットが配設されていることを特徴とする請求項１または請求項２に記載の載置型発光灯。
【請求項７】
前記載置用部材には、クリップが配設されていることを特徴とする請求項１または請求項２に記載の載置型発光灯。
【請求項８】
前記ＬＥＤ固定板はアルミニウム等の金属によって構成されていることを特徴とする請求項１または請求項２に記載の載置型発光灯。
【考案の詳細な説明】
【技術分野】
【０００１】
本考案は、道路上において近接してくる自動車の運転者に対して注意喚起を促すための載置型発光灯に関するものである。
【背景技術】
【０００２】
図８に示すように、ハイウェイＨでの道路工事等の際に、自動車の運転者に対して車線変更等の注意を促がすために、従来から発煙筒８０が広く使用されている。
【考案の概要】
【考案が解決しようとする課題】
【０００３】
このような発煙筒８０には、以下のような問題点が存在する。
【０００４】
一般的な発煙筒は燃焼時間が短い（１０分〜１５分程度）ために長時間使用することが出来ない。また、強風などにより、その置かれた場所から動いてしまうということもあった。さらに、このような発煙筒は使用後（燃焼後）には廃棄物として処理する必要があり、その廃棄物やその処理費用が必然的に発生してしまうという問題点もあった。
【課題を解決するための手段】
【０００５】
以上の問題点を解消するために本考案の第１の手段は、透明ないし半透明な材料によって構成された円筒形の収納容器の両底面部にそれぞれ載置用部材が配設され、前記収納容器内にＬＥＤ（発光ダイオード）、電源用電池および発光制御装置が密閉状態で収納されている載置型発光灯であって、前記ＬＥＤは、長方形の板状のＬＥＤ固定板の長手方向の中心線に沿って複数個配設され、当該ＬＥＤ固定板を複数枚その長辺同士が連設されるように組み合わされて形成された底面が正多角形となる多角柱形状のＬＥＤ固定部材が、その両底面部の重心を通る直線が前記円筒形の収納容器の中心軸と一致するように当該収納容器の内部に固定され、前記載置用部材は、その底面の形状が前記ＬＥＤ固定部材の底面の正多角形と相似形の正多角形であって且つ前記円筒状の収納容器の外径に外接する正多角形よりも大きな正多角形となる多角柱形状に形成され、当該多角柱形状の両底面部の重心を通る直線が前記円筒形の収納容器の中心軸と一致し且つ当該多角柱形状の各頂点と前記円筒形の収納容器の中心軸とを通る複数本の直線の各々が前記ＬＥＤ固定板の長手方向の中心線と交わるような位置となるように前記円筒形の収納容器の両底面部のそれぞれに配設されていることを特徴とするものである。
【０００６】
また、本考案の第２の手段は、透明ないし半透明な材料によって構成された円筒形の収納容器の両底面部にそれぞれ載置用部材が配設され、前記収納容器内にＬＥＤ（発光ダイオード）、電源用電池および発光制御装置が密閉状態で収納されている載置型発光灯であって、前記ＬＥＤは、長方形の板状のＬＥＤ固定板の長手方向の中心線に沿って複数個配設され、当該ＬＥＤ固定板を複数枚その長辺同士が連設されるように組み合わされて形成された底面が正多角形となる多角柱形状のＬＥＤ固定部材が、その両底面部の重心を通る直線が前記円筒形の収納容器の中心軸と一致するように当該収納容器の内部に固定され、前記載置用部材は、その底面の形状が前記ＬＥＤ固定部材の底面の正多角形と相似形の正多角形の２倍の角を有する正多角形であって且つ前記円筒状の収納容器の外径に外接する正多角形よりも大きな正多角形となる多角柱形状に形成され、当該多角柱形状の両底面部の重心を通る直線が前記円筒形の収納容器の中心軸と一致し且つ当該多角柱形状の各頂点と前記円筒形の収納容器の中心軸とを通る複数本の直線が１本おきに前記ＬＥＤ固定板の長手方向の中心線と交わるような位置となるように前記円筒形の収納容器の両底面部のそれぞれに配設されていることを特徴とするものである。
【０００７】
なお、以上のように構成された本考案の第１または第２の手段は、以下のような構成としてもよい。
【０００８】
すなわち、上述した特徴を有する載置型発光灯においては、前記ＬＥＤ固定板の表面側には、前記ＬＥＤの光を反射する反射板が配設されていてもよい。
【０００９】
上述した特徴を有する載置型発光灯においては、前記収納容器の両底面部に配設されている２つの前記載置用部材は、一方は前記収納容器に固定され他方は前記収納容器に着脱自在に装着されていてもよい。
【００１０】
上述した特徴を有する載置型発光灯においては、前記載置用部材には、前記ＬＥＤの点灯を制御する外部から操作可能なスイッチが配設されていてもよい。
【００１１】
上述した特徴を有する載置型発光灯においては、前記載置用部材には、マグネットが配設されていてもよい。
【００１２】
上述した特徴を有する載置型発光灯においては、前記載置用部材には、クリップが配設されていてもよい。
【００１３】
上述した特徴を有する載置型発光灯においては、前記ＬＥＤ固定板はアルミニウム等の金属によって構成されていてもよい。
【考案の効果】
【００１４】
本考案によれば、長時間に亘って、置かれた位置から動かず、且つ、どの方向から見ても視認性の良く、さらに繰り返しての使用が可能な載置型発光灯を提供することができる。
【図面の簡単な説明】
【００１５】
【図１】本考案の実施例１の構成を示す斜視図である。
【図２】本考案の実施例１のＬＥＤ固定部材の構成を示す斜視図である。
【図３】本考案の実施例１の構成の説明図である。
【図４】本考案の実施例１の内部構成を示す断面図である。
【図５】本考案の実施例１の構成の説明図である。
【図６】本考案の実施例１の使用方法の説明図である。
【図７】本考案の実施例１の構成の説明図である。
【図８】従来の発煙筒の使用例を示す説明図である。
【考案を実施するための形態】
【００１６】
以下、図面を用いて本考案の実施例１について説明する。
【実施例１】
【００１７】
図１（ａ）は、本考案の実施例１に係る載置型発光灯１の外部構成を示す斜視図であり、図１（ｂ）はその内部構成を示す斜視図である。
【００１８】
図１（ａ），（ｂ）において、２は、光の透過が可能な透明ないし半透明（着色された「半透明」も含む半透明）な材料によって円筒形の形状に形成されている収納容器である。この収納容器２と載置用部材１０，１１とによって収納容器２の内部は密閉状態（防水状態）に保たれている。
【００１９】
収納容器２の内部には、ＬＥＤ（発光ダイオード）３、ＬＥＤ３の光を効率的に外周方向に投光するための反射板６、ＬＥＤ３を発光させるための電源用電池４が収納されている。
【００２０】
載置用部材１０は正四角柱形状に形成されていて収納容器２の一方の底面部に固定されている。収納容器２の他方の底面部には、載置用部材１０と同一の載置用部材１１が着脱可能な状態で装着されている。本実施例１においては、載置用部材１１が装着状態において収納容器２の内部が密閉状態（防水状態）となるように載置用部材１１と収納容器２との間にパッキング（不図示）が配設されている。
【００２１】
また、載置用部材１０には、手で持つためのストラップＳと、ズボンのベルト等に差すためのクリップＣとが配設されている。８は、ＬＥＤ３の点灯を制御するためのプッシュ型のスイッチである。このスイッチ８を外部から操作することによって、ＬＥＤ３を、点灯状態、点滅状態、消灯状態（電源ＯＦＦ状態）にすることができる。９は、次に説明するＬＥＤ固定部材を収納容器の内部に固定するためのボルトである。
【００２２】
図２はＬＥＤ固定部材の構成を示した斜視図である。
【００２３】
ＬＥＤ固定部材は、４枚の長方形の板状のＬＥＤ固定板５によって図２に示したように正四角柱形状に形成されている。各々のＬＥＤ固定板５には、その長手方向の中心線に沿って図２に示すように複数個のＬＥＤ３が配設されている。
【００２４】
このＬＥＤ固定板５からなるＬＥＤ固定部材の内部には電池４が収納される構成となっている。また、その頂点部には固定用取付部５ａが配設されていて、この固定用取付部５ａと係合するボルト９（図１参照）によって、このＬＥＤ固定部材は収納容器２の内部に固定されている。このＬＥＤ固定板５はプラスチックや金属等どのような材料で構成してもよいが、このＬＥＤ固定板５を熱伝導率の高いアルミニウム等の金属で構成し、且つ、ボルト９や載置用部材１０，１１も熱伝導率の高い材料で構成した場合には、ＬＥＤ３の点灯時にＬＥＤ３で発生する熱を効率よく放熱させることができて、ＬＥＤ３の使用期間を長くすることができる。同様に、電池４で発生する熱も効率よく外部に放熱させることができて、電池の寿命も延ばすことができる。
【００２５】
なお、図３に示すように載置用部材１０にはマグネットｍが、載置用部材１１にはマグネットｍとマグネットＭとが配設されている。マグネットＭは、本実施例１を立てた状態で車体の天板等に固定化させるためのものであり、マグネットｍは車体の側板等に本実施例１を固定化させるためのものである。また、図３において７は、電池４とスイッチ８に電気的に接続され、スイッチ８の状態に従ってＬＥＤの点灯を制御する発光制御装置（発光制御回路）である。
【００２６】
図４は、以上説明した本実施例１の内部構成を示す断面図である。図４に示すように反射板６はＬＥＤ固定板５の表面側に配設されている。
【００２７】
ここで、ＬＥＤ固定板５からなるＬＥＤ固定部材と載置用部材１０，１１との位置関係について、図５を用いて説明する。
【００２８】
４板のＬＥＤ固定板５からなるＬＥＤ固定部材と載置用部材１０，１１は共に四角柱形状に形成されている。この四角柱形状のＬＥＤ固定部材と載置用部材１０，１１とは共に、その四角柱形状の両底面の重心を通る直線が、円筒形の収納容器２の中心軸に一致するように収納容器２に配設されている。さらに、図５（ａ）に示したように、載置用部材１０，１１の各頂点と収納容器２の中心軸とを通る直線が、ＬＥＤ３が並んで配設されているＬＥＤ固定板５の長手方向の中心線と交わるような位置となるように、ＬＥＤ固定部材と載置用部材１０，１１は共に配設されている。
【００２９】
このような位置関係で、ＬＥＤ固定部材と載置用部材１０，１１とが配設されているために、図５（ａ）に示したように載置用部材１０，１１の側面１０ａが接地面となった状態においては、ＬＥＤ３の光は無駄なく外部に放射される（地面方向にはあまり放射されない）。
【００３０】
また、本実施例１においては、図５（ａ）に示したように、四角柱形状である載置用部材１０，１１の底面の大きさが、収納容器２の外径が内接円となる正四角形よりも大きな正四角形となるように選ばれていて、収納容器２の外面が地面に接触しない構成となっているので、雨天時において路面に水が流れている状態でも、その水は収納容器２と路面との間を流れる。従って本実施例１においては、雨天時に使用した場合にも、路面を流れる水に浮かんで流れるようなことはなく載置場所から移動しない。さらに、本実施例１を回収するような作業時においても収納容器２を容易に手で握ることができる。
【００３１】
さらに、本実施例１においては、載置用部材１０の側面１０ａが地面と面接触しているために、従来の円筒形の発煙筒に比して強風などの際にも動きにくい。
【００３２】
以上のように構成された本実施例１は、ＬＥＤを点灯（または点滅）させた状態で、図６に示すように従来の発煙筒と同様にして使用することができる。また、その点灯（または点滅）時間は発煙筒に比して十分に長い（数時間）。
【００３３】
ここで、以上説明した本実施例１においては、ＬＥＤ固定板５からなるＬＥＤ固定部材と載置用部材１０は、図７（ａ）に示すように共に底面が正四角形の四角柱形状となっているが、この形状は四角柱形状に限られるものではなく、底面の形状が正多角形の多角柱形状であれば、本考案の効果を得ることができる。従って、図７（ｂ）に示すように底面の形状が正三角形の三角柱形状としてもよい。載置用部材１０をこのような多角柱形状に形成した場合には、この多角柱形状の各頂点と円筒形の収納容器２の中心軸とを結ぶ複数本の直線の各々は、ＬＥＤ３が配設されているＬＥＤ固定板５の長手方向の中心線と交わることとなる。
【００３４】
さらに、載置用部材１０の形状は、ＬＥＤ固定板５からなる多角柱形状のＬＥＤ固定部の底面の正多角形の２倍の角を有する正多角形の底面の多角柱形状としても本考案の効果を得ることができる。すなわち、載置用部材１０の形状をこのような多角柱形状に構成した場合には、この多角柱形状の各頂点と円筒形の収納容器２の中心軸とを結ぶ複数本の直線が１本おきにＬＥＤ固定板５の長手方向の中心線と交わるように載置用部材１０を配設すれば、ＬＥＤ３の光を地面方向にはあまり放射させずに無駄なく外部に放射させるようにすることができる。
【符号の説明】
【００３５】
１  載置型発光灯
２  収納容器
３  ＬＥＤ
４  電池
５  ＬＥＤ固定板
５ａ  固定用取付部
６  反射板
７  発光制御装置
８  スイッチ
９  ボルト
１０，１１  載置用部材
１０ａ，１１ａ  側面
Ｃ  クリップ
Ｍ，ｍ  マグネット
Ｓ  ストラップ
【図１】
0003183267.tif 000003
【図２】
0003183267.tif 000004
【図３】
0003183267.tif 000005
【図４】
0003183267.tif 000006
【図５】
0003183267.tif 000007
【図６】
0003183267.tif 000008
【図７】
0003183267.tif 000009
【図８】
0003183267.tif 000010